(57)【要約】【課題】  靴の種類を問わず、靴内部を常に衛生的かつ快適に保ち、形状を美しく保持し、未使用時の収納、保管を容易にした使い易い靴用保型乾燥促進具を提供する。【解決手段】  メッシュ等の、内部と外部の換気が可能な素材で成型した、靴の爪先から甲にかけての形状を模した中空体に、装着器具を兼ねた、踝以下の高さの靴に対応する短い第一の支持棹と、ブーツに対応する長い第二の支持棹とを必要に応じて選択し、組み合わせて使用することが可能な靴用保型乾燥促進具を特徴とする。【選択図】  図９
2005111210.tif 000002
【特許請求の範囲】
【請求項１】
内部と外部の換気が可能な素材を靴の爪先から甲にかけての形状に成型した中空体と、着脱可能な装着器具を兼ねる支持棹とで構成される靴用保型乾燥促進具であって、その中空体は、内部に乾燥剤や脱臭剤といった薬剤等を納める中空部と、その中空部に薬剤等の収納および取り出しをする第一の開口部と、装着器具を兼ねる支持棹の挿入および引き抜きが可能な第二の開口部を有している事を特徴とする靴用保型乾燥促進具。
【請求項２】
請求項１記載の靴用保型乾燥促進具であって、踝以下の高さの靴に対応する第一の支持棹を含む事を特徴とする靴用保型乾燥促進具。
【請求項３】
請求項２記載の靴用保型乾燥促進具であって、第一の支持棹は、中空体の内部から爪先部を支える爪先部、底面を支える底辺部、底面を支える部分に対して約９０度に伸びた、中空体を外部から支える柱部、靴への挿入後、靴の大きさに合わせて撓らせる取手部、靴の踵部に当てる係止部を有する事を特徴とする靴用保型乾燥促進具。
【請求項４】
請求項３記載の靴用保型乾燥促進具であって、第一の支持棹は、中空体の第二の開口部より、爪先部、底辺部が中空体内に挿入され、取手部を靴の爪先方向に押す事で、柱部が中空体を靴の爪先部まで押し込んだ後、取手部を撓らせ、踵部に係止部を当て、中空体を所望の位置に固定すると同時に、第一の支持棹が靴の爪先部から踵部までを支持し、靴の形状を保つと共に靴内部の乾燥を促進する事を特徴とする靴用保型乾燥促進具。
【請求項５】
請求項１記載の靴用保型乾燥促進具であって、ブーツに対応する第二の支持棹を含む事を特徴とする靴用保型乾燥促進具。
【請求項６】
請求項５記載の靴用保型乾燥促進具であって、第二の支持棹は、ブーツの踝以上の部分を支え、取手部を兼ねる柱部、柱部から約９０度に伸びた底辺部、中空体と第二の支持棹とが離れるのを防ぐ係止部を有する事を特徴とする靴用保型乾燥促進具。
【請求項７】
請求項６記載の靴用保型乾燥促進具であって、第二の支持棹は、中空体の第二の開口部より、係止部、底辺部が中空体内に挿入され、底辺部は、中空体を靴内に挿入する場合に、中空体踵側面の内側に当接してこれを保持し、中空体が靴底面に到着した時に、中空体踵側面は底辺部を離れ、柱部が中空体踵側面の外側に当接し、柱部を靴の爪先方向に押す事で、中空体を靴の爪先部まで押し込み、中空体を所望の位置に固定すると同時に第二の支持棹の柱部がブーツの脛部分を支持し、靴の形状を保つと共に靴内部の乾燥を促進する事を特徴とする靴用保型乾燥促進具。
【請求項８】
請求項７記載の靴用保型乾燥促進具であって、第二の支持棹の柱部上にブーツの上端と支持棹とを合わせて留める留め具を有する事を特徴とする靴用保型乾燥促進具。
【請求項９】
請求項８記載の靴用保型乾燥促進具であって、前記の留め具が支持棹上で摺動可能である事を特徴とする靴用保型乾燥促進具。
【請求項１０】
請求項９記載の靴用保型乾燥促進具であって、前記の留め具に、ブーツの脛部分の弛みや折れ曲がりを防ぐためのブーツ内周大の輪を有する事を特徴とする靴用保型乾燥促進具。
【請求項１１】
請求項８記載の靴用保型乾燥促進具であって、第二の支持棹の柱部が、ブーツの脛部分の長さに合わせて伸縮する事を特徴とする靴用保型乾燥促進具。
【請求項１２】
請求項８記載の靴用保型乾燥促進具であって、第二の支持棹上に、ブーツの脛部分の弛みや折れ曲がりを防ぐためのブーツ内周大の輪を有する事を特徴とする靴用保型乾燥促進具。
【請求項１３】
請求項１２記載の靴用保型乾燥促進具であって、前記の輪が支持棹上で摺動可能である事を特徴とする靴用保型乾燥促進具。
【請求項１４】
請求項１記載の靴用保型乾燥促進具であって、踝以下の高さの靴に対応する第一の支持棹と、ブーツに対応する第二の支持棹を含む複数の支持棹を有し、必要に応じて支持棹が交換可能である靴用保型乾燥促進具。
【発明の詳細な説明】
【技術分野】
【０００１】  本発明は、乾燥や脱臭に適した内部と外部の換気が可能な素材を靴の爪先から甲にかけての形状に成型した中空体と、着脱可能な装着器具を兼ねる支持棹とで構成される靴用保型乾燥促進具に関するものである。
【背景技術】
【０００２】  従来、靴内部の湿気や臭気を除くための薬剤が内蔵できる中空体を有する短靴用保型具としては、特許文献２に示される、天板および底板に通気孔を設け、天板の後端に可撓性を有する支持棹を突設したものや、特許文献３に示される、同様の中空体後端に手指がかけられるツマミを設けたものがある。また、ブーツに関して、形状の保持だけでなく、衛生保持のために薬剤等を内蔵しうる保型具としては、特許文献１に示される、空気封乳により膨張可能なバルーン部の先端に布製脱臭剤収納部を付けた保型具や、特許文献４に示される、乾燥剤を詰めた膝下から爪先までの足型の保型具がある。
【特許文献１】特開平９−２２４７１５
【特許文献２】実用新案登録第２６０３５０２号
【特許文献３】実用新案登録第３０２７１００号
【特許文献４】実用新案登録第３０３５８４１号
【発明の開示】
【発明が解決しようとする課題】
【０００３】  しかし、上記した従来の短靴用保型具は、いずれも扁平な面に通気孔を設けたものであり、靴と密接する面積が大きいため靴内部全面の換気が難しく、内蔵する薬剤等の効果も充分には期待できなかった。また、これらは踝以下の高さの靴にしか対応できなかった。ブーツ用に関しては、バルーン部を有する保型具は、使用時に膨らませ、未使用時に空気を抜くなどの手間がかかる。乾燥剤を詰めた膝下から爪先までの足型は嵩張り、未使用時の保管に不便であったし、ブーツへの挿入、取り外しが困難であった。また、これらはブーツや長靴にしか対応できなかった。
本発明は、上記の課題を解決するためになされたものである。
【課題を解決するための手段】
【０００４】  本発明では、靴内部全面を充分に換気するために、請求項１記載のように、中空体をメッシュ等の、内部と外部の換気が可能な素材で成型している。また、甲の部分に薬剤等の挿入口を設けているため、装着後内蔵したものが飛び出しにくい。請求項１４記載のように、踝以下の高さの靴に対応する短い第一の支持棹と、ブーツに対応する長い第二の支持棹とを自在に着脱、交換できることから、靴の種類を選ばず、必要に応じて使い分けることができる。支持棹は、従来の物より薄く、細いため嵩張らず、収納、保管にも便利である。また、各支持棹が靴への装着器具の役割をも果たしているため、靴への装着が非常に簡単である。ブーツにおいては、請求項７記載のように、中空体を支持棹によって押し下げ、爪先部分に装着した後、支持棹がブーツの脛の部分を支え、請求項８記載のように、ブーツの上端と支持棹とを合わせて留める事で、内部の換気、乾燥をしながら形状を保持できる。請求項９記載のように、ブーツの上端と支持棹とを合わせて留める留め具が、支持棹上で摺動すると、さらに対応できるブーツの種類が増える。請求項１１記載のように、支持棹がブーツの脛部分の長さに合わせて伸縮してもよい。請求項１０、１２、１３記載のように、留め具または支持棹上にブーツの脛部分の弛みや折れ曲がりを防止するための留め具付きの輪を付けると、柔らかい素材の弛み易いブーツであっても、換気、乾燥、保型がよりしっかりとできる。なお、本明細書中における靴とは、踝以下の高さの靴とブーツの双方を含むものとする。
【発明の効果】
【０００５】  一つの中空体と、支持棹２、３とを着脱、交換する事で、あらゆる靴に対応できる。取り外した支持棹は重ねて保管できるため、収納にも便利である。また、中空体１をメッシュ等の、内部と外部の換気が可能な素材で成型する事によって、靴内部全面の換気が可能な上に、内蔵する薬剤等の効果も充分に得られ、靴内部を常に衛生的かつ快適な状態に保つ事ができる。構造も極めて簡単であり、中空体１と支持棹２、３の着脱、靴への装着、取り外し、未使用時の収納、保管のいずれも容易に行う事ができる。
【発明を実施するための最良の形態】
【０００６】  以下、本発明の実施の形態を、添付図面に基づいて具体的に説明する。
本発明は、メッシュ等の、内部と外部の換気が可能な素材を、靴の爪先から甲にかけての形状に成型した中空体１と、踝以下の高さの靴に対応する第一の支持棹２、ブーツに対応する第二の支持棹３との組み合わせにより構成されている。【０００７】  中空体１は、図１、２、３に示すように、メッシュ等の、内部と外部の換気が可能な素材で、靴の爪先から甲にかけての形状に成型する。中空体１の踵側の面は、底面に対して垂直に成型する。中空体１の甲部中程から踵側面の上から２センチ程下までの長さで、支持棹３が通過できる幅の薬剤等の挿入口Ａを設ける。中空体１の踵側面の最下部に、支持棹２、３の出入口Ｂを設ける。【０００８】  支持棹は、２、３いずれも扁平な薄い板状であることが望ましい。支持棹２は、踝以下の高さの靴に対応するものである。図４に示すように、靴の爪先部分を中空体の内部から支え、中空体１と支持棹２が離れるのを防ぐ係止部でもある爪先部Ｃ、折り返しＤ、中空体１の底面の長さに合わせた底辺部Ｅ１底面に対して直角の折り返しＦ、中空体１踵側面を外部から支える柱部Ｇ、中空体１踵側面の上端に合わせた折り返しＨ、靴の大きさに合わせて撓らせる取手部Ｉ、折り返しＪ、靴の踵部を支える面Ｋを有する。Ｋは、折り返して作る面でなく、当て具でもよい。底辺部Ｅ、折り返しＦ、柱部Ｇにあたる部分は、力を加えても直角を保ちうるように、二重にする等の工夫により強度を高めてもよい。【０００９】  使用方法としては、図６に示すように、中空体１の支持棹出入口Ｂに、支持棹２を、爪先部Ｃを頭にして挿入した後、乾燥剤、脱臭剤、芳香剤等を挿入口Ａより挿入し、取手部Ｉを手に持ち靴内に挿入する。中空体１が靴の爪先部に到着した後、図７に示すように、取手部Ｉを撓らせ、踵部を支えるＫを靴の踵内部にあて、固定する。【００１０】  支持棹３は、ブーツに対応するものである。図５に示すように、ブーツの脛部分を支える柱部Ｐ、柱部Ｐに対して直角の折り返しＯ、中空体１踵側面に設けた支持棹出入口Ｂから薬剤等の挿入口Ａ後端までの長さに合わせた底辺部Ｎ、折り返しＭ、中空体１と支持棹３が離れるのを防ぐ係止部Ｌ、ブーツの上端と柱部Ｐとを合わせて留める留め具Ｑを有する。柱部Ｐ、折り返しＯ、底辺部Ｎにあたる部分は、前記支持棹２と同様に、力を加えても直角を保ちうるように、二重にする等の工夫により強度を高めてもよい。【００１１】  使用方法としては、図８に示すように中空体１の支持棹出入口Ｂに、支持棹３を、係止部Ｌを頭にして挿入した後、乾燥剤、脱臭剤、芳香剤等を挿入口Ａより挿入し、柱部Ｐを手に持ち、底辺部Ｎに中空体１踵側面内側を当接させブーツの底まで押し下げる。中空体１の爪先部がブーツの底面に到着した時、図９に示すように、中空体１踵側面内側が支持棹３の底辺部Ｎを離れ、中空体１踵側面外側が柱部Ｐに当接する。その状態で柱部Ｐをブーツの脛の方向に押す事で、中空体１をブーツの爪先部に入れ込み、図１０に示すように、ブーツの上端と支持棹３とを合わせて留め具Ｑで固定する。【００１２】  支持棹３の柱部Ｐは、伸縮するとなおよい。留め具Ｑが柱部Ｐ上で上下に摺動するようにしてもよい。ばねを使った留め具やゼムクリップ式の留め具でよいが、接着力を持つ素材でブーツの上端が留まるようにしてもよい。また、留め具Ｑや支持棹上にブーツの内周大の輪を付けると、ブーツの踝以上の部分が弛んで折れ曲がることなく、さらにしっかりと換気、乾燥、保型することができる。その際には輪にもう一点留め具等を付けるとよい。【００１３】  昨今多く出回っているバックストラップ式の靴やミュールなど踵部分の無い靴に対しては、応用として支持棹を使わず中空体１のみを挿入してもよい。その際は、中空体１の薬剤等の挿入口Ａ後端に手指を掛け靴への装着、取り外しを行う。【００１４】  中空体１に内蔵する薬剤等に関しては、種類、形状は問わない。
【図面の簡単な説明】
【００１５】
【図１】  中空体１の斜視図
【図２】  中空体１の背面図
【図３】  中空体１の側面図
【図４】  支持棹２の斜視図
【図５】  支持棹３の斜視図
【図６】  中空体１と支持棹２との組み合わせによる靴への挿入時の側面図
【図７】  中空体１と支持棹２との組み合わせによる靴への装着後の側面図
【図８】  中空体１と支持棹３との組み合わせによる靴へ挿入時の側面図
【図９】  中空体１と支持棹３との組み合わせによる靴への挿入時の側面図
【図１０】  中空体１と支持棹３との組み合わせによる靴への装着後の側面図
【符号の説明】
【００１６】Ａ  中空体１における薬剤等の挿入口
Ｂ  中空体１における支持棹２、３の出入口
Ｃ  支持棹２における爪先部
Ｄ  支持棹２における折り返し
Ｅ  支持棹２における底辺部
Ｆ  支持棹２における底面に対して直角の折り返し
Ｇ  支持棹２における中空体１の踵側面を外部から支える柱部
Ｈ  支持棹２における折り返し
Ｉ  支持棹２における靴の大きさに合わせて撓らせる取手部
Ｊ  支持棹２における折り返し
Ｋ  支持棹２における靴の踵部分を支える面
Ｌ  支持棹３における中空体１と支持棹３とが離れるのを防ぐ係止部
Ｍ  支持棹３における折り返し
Ｎ  支持棹３における底辺部
Ｏ  支持棹３における底面に対して直角の折り返し
Ｐ  支持棹３におけるブーツの脛部分を支える柱部
Ｑ  支持棹３におけるブーツの上端と柱部Ｐとを合わせて留める留め具
Ｒ  内蔵する薬剤
Ｓ  踝以下の高さの靴
Ｔ  ブーツ
【図１】
2005111210.tif 000003
【図２】
2005111210.tif 000004
【図３】
2005111210.tif 000005
【図４】
2005111210.tif 000006
【図５】
2005111210.tif 000007
【図６】
2005111210.tif 000008
【図７】
2005111210.tif 000009
【図８】
2005111210.tif 000010
【図９】
2005111210.tif 000011
【図１０】
2005111210.tif 000012